(57)【要約】【課題】１つの光源で明るさ又は光色の異なる２種類の光を得ることができる低コストの照明器具を提供する。【解決手段】照明器具Ａは、ランプ４を装着するソケット３が取り付けられて、壁面や天井面などの造営面に露設される器具本体１と、ランプ４の前方に配置されるようにして器具本体１に取り付けられたグローブ２とを備えており、器具本体１を透光性を有する材料で形成するとともに、器具本体１を形成する材料よりも透過率の低い材料でグローブ２を形成してある。而して、ランプ４の光が器具本体１を透過し、造営面に拡散することで、照明効果を得ることができ、またグローブ２の透過率を器具本体１よりも低くすることで、人の目に直接入る光を暗くして、ユーザが眩しさを感じるのを防止できる。【選択図】　　　図１
2004071408.tif 000002
【特許請求の範囲】
【請求項１】
ランプを保持して、壁面や天井面などの造営面に露設される器具本体と、ランプの前方に配置されるようにして器具本体に取り付けられるグローブとを備え、器具本体及びグローブをそれぞれ透光性を有する材料で形成するとともに、器具本体の透過率に比べてグローブの透過率を低くしたことを特徴とする照明器具。
【請求項２】
ランプの光が透過する器具本体の部位に、光の拡散性を高めるような凹凸形状を形成したことを特徴とする請求項１記載の照明器具。
【請求項３】
ランプが装着されるソケットを、照明空間に向かって突出するようにして器具本体に取り付けるとともに、ランプの収納空間を閉塞するようにグローブを器具本体に取り付けたことを特徴とする請求項１記載の照明器具。
【請求項４】
上記器具本体とグローブとの間の隙間を塞ぐシール材を設けたことを特徴とする請求項３記載の照明器具。
【請求項５】
上記器具本体を、造営面との接触面付近までランプの光が透過するような形状に形成したことを特徴とする請求項１記載の照明器具。
【発明の詳細な説明】
【０００１】
【発明の属する技術分野】
本発明は、浴室、トイレ、洗面所、キッチンなどで造営面に取り付けられ、造営面に光を拡散させることで照明効果を得る照明器具に関するものである。
【０００２】
【従来の技術】
従来、この種の照明器具としては、図３に示すように遮光性の材料で形成され造営面に取り付けられる器具本体１１を有し、器具本体１１に設けたソケット（図示せず）にランプ（図示せず）を取り付けて、ランプを覆うように円筒状のグローブ１２を器具本体１１に取り付けた構造を有するものが提供されている（例えば、特開平９−１２９０１４号公報参照）。
【０００３】
この照明器具では、グローブ１２を、それぞれ乳白色に形成された有底円筒状の前グローブ１３及び円環状の後グローブ１４と、前グローブ１３の周面の下部に形成した帯状の開口１３ａに取着される透明な窓板１５とで構成し、前グローブ１３と後グローブ１４と窓板１５とを接着して一体に形成しており、透明な窓孔１５を通してランプの光を造営面に拡散させることで、照明効果を得るとともに、前グローブ１３及び後グローブ１４を透過率の低い乳白色に形成することで、ランプの光が直接人の目に入って、眩しさを感じさせることが無いようにしている。
【０００４】
上述の照明器具ではグローブ１２を３個の部材で構成しているが、コストダウンを図るため、図４に示すように、グローブ１２を、前方に行くほど外径寸法が大きくなるように形成された円筒状の後グローブ１６と、後グローブ１６の開口を塞ぐように取り付けられたドーム状の前グローブ１７との２つの部材で構成した照明器具も提供されている。この照明器具では、後グローブ１６を透明な材料で形成するとともに、前グローブ１７を透過率の低い乳白色に形成してあり、透明な後グローブ１６を通してランプの光を造営面に拡散させることで、照明効果を得るとともに、前グローブ１７の透過率を後グローブ１６に比べて低くすることで、ランプの光が直接人の目に入って、眩しさを感じさせることが無いようにしている。
【０００５】
【発明が解決しようとする課題】
上記構成の照明器具では、造営面に拡散させる間接光を明るくすると共に、人の目に直接入る直接光を暗くすることで、眩しさを感じさせることなく十分な照明効果を得ているのであるが、１つの光源で明るさ又は光色の異なる２種類の光（直接光及び間接光）を得るために、透過率又は色の異なる２種類の部材を接合して１つのグローブを構成しているから、グローブの部品数（すなわち照明器具全体の部品数）が増加し、その結果、材料コスト及び加工コストが増加したり、グローブを組み立てる設備の投資が必要になるという問題があった。また、複数の部材を組み立ててグローブを構成しているため、部材の接合面の品質管理を行う必要があり、コストアップの要因となるという問題があった。
【０００６】
本発明は上記問題点に鑑みて為されたものであり、その目的とするところは、１つの光源で明るさ又は光色の異なる２種類の光を得ることができる低コストの照明器具を提供することにある。
【０００７】
【課題を解決するための手段】
上記目的を達成するために、請求項１の発明では、ランプを保持して、壁面や天井面などの造営面に露設される器具本体と、ランプの前方に配置されるようにして器具本体に取り付けられるグローブとを備え、器具本体及びグローブをそれぞれ透光性を有する材料で形成するとともに、器具本体の透過率に比べてグローブの透過率を低くしたことを特徴とする。
【０００８】
請求項２の発明では、請求項１の発明において、ランプの光が透過する器具本体の部位に、光の拡散性を高めるような凹凸形状を形成したことを特徴とする。
【０００９】
請求項３の発明では、請求項１の発明において、ランプが装着されるソケットを、照明空間に向かって突出するようにして器具本体に取り付けるとともに、ランプの収納空間を閉塞するようにグローブを器具本体に取り付けたことを特徴とする。
【００１０】
請求項４の発明では、請求項３の発明において、上記器具本体とグローブとの間の隙間を塞ぐシール材を設けたことを特徴とする。
【００１１】
請求項５の発明では、請求項１の発明において、上記器具本体を、造営面との接触面付近までランプの光が透過するような形状に形成したことを特徴とする。
【００１２】
【発明の実施の形態】
本発明の一実施形態を図１及び図２を参照して説明する。本実施形態の照明器具Ａは、器具本体１と、グローブ２と、ソケット３と、ランプ４とで構成される。
【００１３】
器具本体１は、透過率の高い略透明な材料により有底円筒状に形成されており、例えば浴室の壁面のような造営面に底面を当接させた状態で固定ねじ（図示せず）を用いてねじ固定されるようになっている。また、器具本体１の外周面の前端部にはねじ部１ａが形成され、ねじ部１ａよりも後側にはシール材たるＯリング５を保持するＯリング溝１ｂが形成されている。
【００１４】
器具本体１の底面の略中央には、ソケット３が照明空間に向かって突出するように取り付けられており、このソケット３には白熱電球のようなランプ４が着脱自在に装着されて、ランプ４に給電される。
【００１５】
一方、グローブ２は、器具本体１を形成する材料よりも透過率の低い材料により半透明或いは乳白色に形成され、ドーム形の主部２ａと、主部２ａの外周縁から後方に向かって突出する側壁２ｂとを一体に形成したような形状に形成されており、側壁２ｂの内面には器具本体１のねじ部１ａと螺合するねじ部２ｃが形成されている。
【００１６】
而して、器具本体１に設けたソケット３にランプ４を装着した後、グローブ２のねじ部２ｃを器具本体１のねじ部１ａと螺合させることで、グローブ２と器具本体１とが結合され、ランプ５の収納空間がグローブ２によって閉塞される。すなわち、ソケット３に装着されたランプ４は、器具本体１とグローブ２とで囲まれる収納空間に配置されることになり、外側に露出していないので、安全である。また、グローブ２のねじ部２ｃを器具本体１のねじ部１ａに最後までねじ込むと、Ｏリング溝１ｂに嵌め込まれたＯリング５が側壁２ｂの内周面と当接し、側壁２ｂ（グローブ２）と器具本体１との間の隙間がＯリング５によって塞がれるので、器具本体１とグローブ２とで囲まれる収納空間に水が浸入するのを防止できる。
【００１７】
また、本実施形態ではランプ４を保持して、造営面に露設される器具本体１と、グローブ２とをそれぞれ透光性を有する材料で形成するとともに、器具本体１の透過率に比べてグローブ２の透過率を低くしているので、器具本体１を通してランプ４の光を造営面に拡散させることで、必要な照度を確保することができ、またグローブ２を例えば乳白色に着色するなどして、グローブ２の透過率を器具本体１よりも下げることによって、人の目に直接入る光を暗くして、ユーザが眩しさを感じるのを防止できる。しかも、従来の照明器具では１つのランプで明るさ又は色の異なる２種類の光を得るために、グローブ２を透過率の異なる複数の部材で構成しているのに対して、本実施形態では器具本体１及びグローブ２をそれぞれ透光性の材料で形成するとともに、器具本体１の透過率に比べてグローブ２の透過率を低くすることで、２種類の光（直接光と間接光）を得ているので、グローブ２を１つの部材で構成することができ、その結果、照明器具全体の部品点数を少なくして、コストダウンを図ることができる。
【００１８】
尚、本実施形態では器具本体１を透明とし、グローブ２を乳白色に着色しているが、器具本体１及びグローブ２をランプ４の光が透過できるような色（例えば赤色、青色など）に着色することで、光の色を変化させて、光の色による演出効果を楽しむこともできる。
【００１９】
また、器具本体１の内周面には、器具本体１の開口付近から造営面との接触面（底面）付近まで延びる複数のリブ１ｃが、一定の間隔をおいて形成されており、内周面に凹凸を形成することで器具本体１を透過したランプ４の光が拡散されて、造営面に万遍なく照射されるから、この間接光によって照明空間の照度を十分に得ることができる。尚、本実施形態ではランプ４の光が透過する器具本体１の部位（器具本体１の内周面）に複数のリブ１ｃを形成することで、光の拡散性を高めるような凹凸形状を形成しているが、内周面にシボ加工を施すことによって、光の拡散性を高めるような凹凸形状を形成しても良い。
【００２０】
また、器具本体１は全体が略透明に形成されており、造営面との接触面付近までランプ４の光が透過するような形状に形成しているので、造営面との接触面付近からもランプの光が透過して、造営面に照射されるから、器具本体１の陰になって暗くなる部分を無くすことができ、光による演出効果を高めるとともに、照明器具Ａと造営面との一体感が得られる。
【００２１】
【発明の効果】
上述のように、請求項１の発明は、ランプを保持して、壁面や天井面などの造営面に露設される器具本体と、ランプの前方に配置されるようにして器具本体に取り付けられるグローブとを備え、器具本体及びグローブをそれぞれ透光性を有する材料で形成するとともに、器具本体の透過率に比べてグローブの透過率を低くしたことを特徴とし、透光性を有する材料で形成された器具本体を通してランプの光を造営面に拡散させることで、必要な照度を確保することができ、またグローブの透過率を器具本体よりも低くすることで、人の目に直接入る光を暗くして、ユーザが眩しさを感じるのを防止できるという効果がある。さらに、従来の照明器具では透過率の異なる複数の部材でグローブを構成することにより、１つのランプで明るさ又は色の異なる２種類の光を得ているのに対して、本発明では器具本体及びグローブをそれぞれ透光性の材料で形成するとともに、器具本体の透過率に比べてグローブの透過率を低くすることで２種類の光を得ているので、グローブを１つの部材で構成することができ、その結果照明器具全体の部品点数を少なくして、コストダウンが図れるという効果がある。
【００２２】
請求項２の発明は、請求項１の発明において、上記器具本体の表面に、光の拡散性を高めるような凹凸形状を形成したことを特徴とし、器具本体を透過して造営面に照射される光を拡散させて、造営面に万遍なく配光することで、十分な照度を得ることができるという効果がある。
【００２３】
請求項３の発明は、請求項１の発明において、ランプが装着されるソケットを、照明空間の前方に突出するようにして器具本体に取り付けるとともに、ランプの収納空間を閉塞するようにグローブを器具本体に取り付けたことを特徴とし、グローブと器具本体とでランプの収納空間を閉塞することによって、ランプが露出するのを防止でき、安全性を高めることができる。
【００２４】
請求項４の発明では、請求項３の発明において、上記器具本体とグローブとの間の隙間を塞ぐシール材を設けたことを特徴とし、シール材で隙間を塞ぐことにより、内部に水などが浸入するのを防止できるという効果がある。
【００２５】
請求項５の発明では、請求項１の発明において、上記器具本体を、造営面との接触面付近までランプの光が透過するような形状に形成したことを特徴とし、器具本体における造営面との接触面付近からもランプの光が透過して、造営面に照射されるから、器具本体の陰になって暗くなる部分を無くすことができ、光による演出効果が高まるという効果がある。
【図面の簡単な説明】
【図１】本実施形態の照明器具の一部破断せる側面図である。
【図２】同上を示し、グローブを外した状態の正面図である。
【図３】従来の照明器具の側面図である。
【図４】従来の別の照明器具の側面図である。
【符号の説明】
Ａ　照明器具
１　器具本体
２　グローブ
３　ソケット
４　ランプ
【図１】
2004071408.tif 000003
【図２】
2004071408.tif 000004
【図３】
2004071408.tif 000005
【図４】
2004071408.tif 000006